(57)【特許請求の範囲】
【請求項１】
住宅内に複数個設置された火災・ガス漏れ警報器のうち、いずれかの警報器が警報を発した際に、他の警報器へ警報信号を伝達する機能を具備した火災・ガス漏れ警報システムにおいて、
前記火災・ガス漏れ警報器に搭載され、火災、或いはガス漏れが検出された際に、無電圧信号を出力する無電圧警報信号出力手段と、
前記各警報器に設置される無電圧警報信号出力手段と連結され、前記各警報器のうちの唯一の警報器に設置される移報入力手段と、を具備したことを特徴とする火災・ガス漏れ警報システム。
【請求項２】
前記移報入力手段は、無電圧信号が入力された際にオンとなるスイッチ手段と、当該スイッチ手段がオンとなったときに警報信号を出力するホトカプラを具備したことを特徴とする請求項１に記載の火災・ガス漏れ警報システム。
【発明の詳細な説明】
【０００１】
【発明の属する技術分野】
本発明は、住宅用に用いられる火災・ガス漏れ警報システムに係り、特に、火災、或いはガス漏れが発生した場所以外の場所に対しても、火災、ガス漏れの発生を知らせる技術に関する。
【０００２】
【従来の技術】
例えば、住宅の各部屋、或いは廊下、階段等の仕切られた空間には、火災やガス漏れが発生した際に、これを検知するために、火災警報器、或いはガス漏れ警報器が設置される。このような従来の火災警報器、或いはガス漏れ警報器では、各部屋毎に発生する火災、或いはガス漏れを検知し、警報（音や光）を出力するため、例えば、台所でガス漏れが発生したことを、寝室にいる人に通知することができない。
【０００３】
そこで、このような問題を解決するために、例えば、実開平５−６６８００号公報に記載されたガス漏れ警報器（以下、従来例という）が提案されている。該従来例では、住宅内の複数の場所に、送信部、及び受信部を具備したガス漏れ警報器を設置し、一つのガス漏れ警報器でガス漏れの発生を検知した場合には、この検知信号を他のガス漏れ警報器に送信するので、警報が発生した場所から離れたところにいる人に対して警報を発生を通知することができる。
【０００４】
【発明が解決しようとする課題】
しかしながら、前述の従来例に記載されたガス漏れ警報器では、各ガス漏れ警報器間で、検知信号の送受信を行う必要があるので、構成が複雑になり、また、コストアップを招くという問題が発生していた。
【０００５】
この発明は、このような従来の課題を解決するためになされたものであり、その目的とするところは、簡単な構成で、警報の発生した場所と離れた場所にいる人に対して、この警報を知らせることのできる火災・ガス漏れ警報システムを提供することにある。
【０００６】
【課題を解決するための手段】
上記目的を達成するため、本願請求項１に記載の発明は、住宅内に複数個設置された火災・ガス漏れ警報器のうち、いずれかの警報器が警報を発した際に、他の警報器へ警報信号を伝達する機能を具備した火災・ガス漏れ警報システムにおいて、前記火災・ガス漏れ警報器に搭載され、火災、或いはガス漏れが検出された際に、無電圧信号を出力する無電圧警報信号出力手段と、前記各警報器に設置される無電圧警報信号出力手段と連結され、前記各警報器のうちの唯一の警報器に設置される移報入力手段と、を具備したことが特徴である。
【０００７】
また、前記移報入力手段は、無電圧信号が入力された際にオンとなるスイッチ手段と、当該スイッチ手段がオンとなったときに警報信号を出力するホトカプラを具備したことを特徴とする。
【０００８】
【発明の実施の形態】
以下、本発明の実施形態を図面に基づいて説明する。図１は、本発明の一実施形態に係る火災・ガス漏れ警報システムの構成を示すブロック図である。同図に示すように、この火災・ガス漏れ警報システム１は、住宅内の複数箇所に設置される火災・ガス漏れ警報器１ａ〜１ｃ（以下、単に警報器という）が、配線Ｌ１，Ｌ２を介して、互いに接続されて構成されている。本実施形態では、一例として、台所に警報器１ａ、階段に警報器１ｂ、寝室に警報器１ｃが設置される例を示している。
【０００９】
図２は、各警報器１ａ〜１ｃの構成を示すブロック図であり、同図に示すように、警報器１ａ〜１ｃは、制御中枢となるマイコン回路２と、ガス漏れが発生した際に、これを検出するガス検出回路３と、当該ガス検出回路３に搭載されるセンサを駆動させるためのガスセンサ駆動回路７と、温度補償回路４と、ガス漏れ警報を発するときのガス濃度を設定するガス警報濃度設定回路５と、を具備している。
【００１０】
更に、警報器１ａ〜１ｃは、火災が発生した際に、これを検出する火災センサ回路６と、ガス漏れ、或いは火災の発生が検出された際に、これを表示する表示回路９と、ガス漏れ、或いは火災の発生を音声で出力する音声警報出力回路１０、及びスピーカ１１を具備している。
【００１１】
また、一つの警報器にてガス漏れが発生した際に、ガス漏れ発生信号を他の警報器に通知するための出力信号（有電圧信号）を出力するガス外部出力回路１２と、火災発生信号を他の警報器に通知するための出力信号（無電圧信号）を出力する火災警報回路（無電圧警報信号出力手段）１３と、移報入力回路（移報入力手段）１４と、電源回路８と、を具備している。
【００１２】
移報入力回路１４は、他の警報器にて火災警報が発生した際に、この警報器における火災警報回路１３より出力される無電圧の出力信号を受けて、この信号をマイコン回路２へ出力するものである。
【００１３】
本実施形態では、寝室に設置される警報器１ｃのみが、移報入力回路１４を具備する構成としている。また、図１に示すように、各火災警報機１３の出力端子は、配線Ｌ１，Ｌ２を介してそれぞれ並列接続され、該配線Ｌ１，Ｌ２は、寝室の警報器１ｃが有する移報入力回路１４に接続されている。
【００１４】
なお、図１では、ガス検出回路３、及び火災センサ回路６の双方を有する警報器について説明しているが、本発明はこれに限定されるものではなく、ガス検出回路３或いは火災センサ回路６のうちのいずれか一方を具備したものであっても良い。
【００１５】
図３は、移報入力回路１４の詳細な構成を示す回路図である。同図に示すように、該移報入力回路１４は、電源Ｅ１と、ホトカプラＰＣ１と、トランジスタＱ１と、抵抗Ｒ１，Ｒ２と、ダイオードＤ１とを具備している。そして、入力端子Ｔ１，Ｔ２より、無電圧の火災警報信号が入力されると、トランジスタＱ１がオンとなり、ホトカプラＰＣ１が有する発光ダイオードが発光するので、ホトトランジスタがオンとなり、端子Ｔ３，Ｔ４よりマイコン回路２へ、火災警報信号が出力される。
【００１６】
次に、上述のように構成された本実施形態の動作について説明する。台所、階段、或いは寝室のいずれかにて火災が発生すると、火災が発生した場所に設置された警報器（１ａ〜１ｃのうちのいずれか）の火災センサ回路６にて、火災の発生が検出される。そして、マイコン回路２の制御により、表示回路９にて火災発生が表示され、且つ、音声警報出力回路１０、及びスピーカ１１により、音声にて火災発生が報知される。
【００１７】
更に、火災の発生を検知した警報器が有する火災警報回路１３が、無電圧の警報信号を出力する。すると、この警報信号により、図３に示した移報入力回路１４の端子Ｔ１，Ｔ２間が短絡され、トランジスタＱ１がオンとなる。これにより、ホトカプラＰＣ１の発光ダイオードが発光し、この光により、ホトトランジスタがオンとなって、マイコン回路２へ火災警報信号が出力される。
【００１８】
これにより、寝室に設置した警報器１ｃの表示回路９、及び音声警報出力回路１０、スピーカ１１にて、火災発生の警報信号が出力される。これにより、寝室にいる人は、台所、或いは階段にて火災が発生したことを即時に知ることができる。
【００１９】
このようにして、本実施形態に係るガス漏れ・火災警報システム１では、住宅内の各所に複数個のガス漏れ・火災警報器１ａ〜１ｃを設置し、且つ、このうちいくつかの警報器（本実施形態では、寝室に設置する警報器１ｃ）に移報入力回路１４を設置している。そして、各警報器１ａ〜１ｃのうち、いずれかにて火災の発生が検出された際には、移報入力回路１４が設置されている警報器にて、火災の発生が検出され、表示回路９或いは音声警報出力回路１０にて火災の発生が報知される。
【００２０】
即ち、以下の表１に示すように、警報信号を発することができる。
【００２１】
【表１】
0003977614.tif 000002
従って、寝室内にいる人は、警報器１ａ〜１ｃが設置されるいずれかの場所で火災が発生した場合であっても、即時にこれを知ることができるので、消化作業を行う等の緊急処理、或いは、消防署への連絡等の手続を迅速に行うことができるようになる。
【００２２】
以上、本発明の火災・ガス漏れ警報システムを図示の実施形態に基づいて説明したが、本発明はこれに限定されるものではなく、各部の構成は、同様の機能を有する任意の構成のものに置き換えることができる。
【００２３】
例えば、上述した実施形態では、３個の警報器１ａ〜１ｃを設置する例について説明したが、本発明はこれに限定されるものではなく、２個、或いは４個以上の警報器を設置するように構成することも可能である。また、前述の実施形態では、寝室に設置した警報器１ｃのみが移報入力回路１４を具備する例について説明したが、本発明はこれに限定されるものではなく、その他の警報器に移報入力回路１４を設置する構成とすることも可能である。この場合には、移報入力回路１４を具備した警報器では、その他の警報器での火災警報を報知することができる。
【００２４】
更に、前記の実施形態では、図２に示したように、火災警報回路１３の出力信号を無電圧信号とし、ガス外部出力回路１２の出力信号を有電圧信号とする例について説明したが、ガス外部出力回路１２の出力信号を無電圧信号とすることにより、一つの警報器で検出されたガス漏れを、他の警報器にて報知するように構成することも可能である。
【００２５】
また、図４に示すように、火災・ガス漏れ警報器１ｃが有する入力端子Ｔ１，Ｔ２と、火災警報回路１３の無電圧信号出力端子Ｔａ，Ｔｂとを分離しておき、必要に応じてこれらを連結する（図中、点線部分）構成とすることも可能である。分離した場合には、無電圧出力端子Ｔａ，Ｔｂは、無電圧出力としてのみ使用される。
【００２６】
また、上記の実施形態では、火災・ガス漏れ警報器１ａ〜１ｃの全てが、火災、及びガス漏れを検知する構成であるが、火災のみの警報器、或いはガス漏れのみの警報器を併用してシステムを構成することも可能である。この場合には、ある場所に設置したガス漏れが検知されたときに、他の場所に設置した火災警報機を用いてこれを報知するように設定することも可能となる。
【００２７】
更に、具体的な構成を省略するが、移報入力回路に入力される信号を時分割し、火災発生信号と、その他の信号とを無電圧信号で伝送し、ある警報器で発せられた警報信号を他の警報器で警報信号を出力するように構成することも可能である。
【００２８】
また、既に設置されている警報器に対し、移報入力回路付きの警報器を別途設置して連結することにより、既存警報器にて発せられた警報信号を、新たに設置した移報入力回路付きの警報器に伝送することができるので、システムアップを容易に行うことができる。
【００２９】
【発明の効果】
以上説明したように、本発明の火災・ガス漏れ警報システムでは、住宅内に設置した火災・ガス漏れ警報器のうちの、一つの警報器にて警報が発せられた際には、移報入力回路を具備する警報器にてこれを検出し、該警報器の周囲にいる人に報知することができるので、火災発生地点から離れた所にいる人に対して、確実且つ迅速に火災、ガス漏れの発生を通知することができる。これにより、消化、避難活動などの対応を即時に行うことができるようになる。
【００３０】
また、無線信号を用いずに、各警報器間での信号の伝送を行う構成としているので、従来例と比較して構成を著しく簡素化することができる。
【図面の簡単な説明】
【図１】本発明に係る火災・ガス漏れ警報システムの、一実施形態の構成を示すブロック図である。
【図２】移報入力回路を具備した火災・ガス漏れ警報器の詳細な構成を示すブロック図である。
【図３】移報入力回路の具体的な回路構成を示す説明図である。
【図４】火災センサ回路６の出力端子と移報入力回路の入力端子との接続状態を示す説明図である。
【符号の説明】
１  火災・ガス漏れ警報システム
１ａ〜１ｃ  火災・ガス漏れ警報器
２  マイコン回路
３  ガス検出回路
４  温度補償回路
５  ガス警報濃度設定回路
６  火災センサ回路
７  ガスセンサ駆動回路
８  電源回路
９  表示回路
１０  音声警報出力回路
１１  スピーカ
１２  ガス外部出力回路
１３  火災警報回路（無電圧警報信号出力手段）
１４  移報入力回路（移報入力手段）
【図１】
0003977614.tif 000003
【図２】
0003977614.tif 000004
【図３】
0003977614.tif 000005
【図４】
0003977614.tif 000006